(57)【要約】【課題】トランポリンの跳躍面を支持するための改善されたフレームを提供すること。【解決手段】頂部レールとこの頂部レールに平行に配設された脚スタブとを備えた補助材組立体を有するトランポリン・フレームを含み、頂部レールは、脚スタブの平行横断部分に沿って１つ又は複数の個所において溶接された、トランポリンの安定性を向上させるためのシステムが提供される。隅部材が隣接する頂部レールを取り付ける。脚部材が、隣接補助材組立体の隣接する脚スタブを取り付ける。トランポリンの使用によって行使される力は、脚スタブにおける単一の突合せ溶接部におけるのではなく、頂部レールに沿ったいくつかの溶接部を横切って分配される。【選択図】図１
2007152122.tif 000002
【特許請求の範囲】
【請求項１】
複数の補助材組立体を含むトランポリン・フレームであって、前記補助材組立体の各々が、
第１端部及び第２端部を有する頂部レールと、
第１端部及び第２端部を有する脚スタブであって、前記脚スタブの一部分が前記頂部レールの軸方向に平行に配設された脚スタブと
を含み、前記脚スタブは、前記脚スタブの前記一部分に少なくとも部分的に沿って前記頂部レールに付随している、
トランポリン・フレーム。
【請求項２】
前記頂部レールと前記脚スタブの少なくとも１つが、壁厚が約５．５９ｍｍ（約０．２２０インチ）で直径が約５．０５ｃｍ（約１．９９０インチ）の、１１ゲージ・パイプ材料を更に含む請求項１に記載のトランポリン・フレーム。
【請求項３】
前記頂部レールと前記脚スタブの少なくとも１つが、亜鉛フラッシュめっきされた外側と亜鉛被覆された内側とを有するパイプ材料を更に含む請求項１に記載のトランポリン・フレーム。
【請求項４】
長方形マットを更に含む請求項１に記載のトランポリン・フレーム。
【請求項５】
正方形マットを更に含む請求項１に記載のトランポリン・フレーム。
【請求項６】
円形マットを更に含む請求項１に記載のトランポリン・フレーム。
【請求項７】
複数の補助組立体であって、前記補助組立体の各々が、第１端部及び第２端部を有する頂部レールと、第１端部及び第２端部を有する脚スタブとを更に含む、複数の補助組立体と、
複数の脚部材であって、前記脚部材の各々が第１端部及び第２端部を更に含み、前記脚部材の前記第１端部の各々は第１脚スタブの前記第１端部に取り付けられ、前記脚部材の前記第２端部の各々は第２脚スタブの前記第２端部に取り付けられ、前記頂部レールの前記第１端部は第２頂部レールの前記第２端部に結合されている、複数の脚部材と
を含むトランポリン・システム。
【請求項８】
前記頂部レールの軸方向に平行に配設された前記脚スタブの一部分が、前記頂部レールに付随している請求項７に記載のトランポリン・システム。
【請求項９】
前記頂部レールの前記第１端部が、第１端部及び第２端部を有する複数の隅部材を使用して、第２頂部レールの前記第２端部に結合され、隅部材の前記第１端部は前記頂部レールの前記第１端部に取り付けられ、隅部材の前記第２端部は第２頂部レールの前記第２端部に取り付けられている請求項７に記載のトランポリン・フレーム。
【請求項１０】
前記隅部材の１個又は複数個がスエージ加工された端部を有する請求項９に記載のトランポリン・フレーム。
【請求項１１】
前記隅部材の１個又は複数個が、前記隅部材の各端部から約７．６ｃｍ（約３インチ）離れて位置するセットバック孔を更に含む請求項９に記載のトランポリン・フレーム。
【請求項１２】
前記頂部レール、前記脚スタブ、及び前記脚部材を含む群から選ばれた少なくとも１つの部材が、壁厚が約５．５９ｍｍ（約０．２２０インチ）で直径が約５．０５ｃｍ（約１．９９０インチ）の、１１ゲージ・パイプ材料を更に含む請求項７に記載のトランポリン・フレーム。
【請求項１３】
前記頂部レール、前記脚スタブ、及び前記脚部材を含む群から選ばれた少なくとも１つの部材が、亜鉛フラッシュめっきされた外側及び亜鉛被覆された内側を更に備えたパイプ材料を更に含む請求項７に記載のトランポリン・フレーム。
【請求項１４】
長方形マットを更に含む請求項７に記載のトランポリン・フレーム。
【請求項１５】
正方形マットを更に含む請求項７に記載のトランポリン・フレーム。
【請求項１６】
円形マットを更に含む請求項７に記載のトランポリン・フレーム。
【請求項１７】
複数の補助材組立体であって、各組立体が、
第１端部及び第２端部を有する頂部レールと、
第１端部及び第２端部を有する脚スタブであって、前記頂部レールの軸方向に平行な前記脚スタブの一部分も有し、前記脚スタブの前記一部分に少なくとも部分的に沿って前記頂部レールに付随している脚スタブと
を含む複数の補助材組立体と、
各々が第１端部及び第２端部を有する複数の脚部材であって、前記脚部材の各前記第１端部は第１脚スタブの前記第１端部に取り付けられ、前記脚部材の各前記第２端部は第２脚スタブの前記第２端部に取り付けられる、複数の脚部材と、
各々が第１端部及び第２端部を有する複数の隅部材であって、前記頂部レールの各前記第１端部は第１隅部材の前記第１端部に取り付けられ、前記頂部レールの各前記第２端部は第２隅部材の前記第２端部に取り付けられる、複数の隅部材と
を含むトランポリン・フレーム。
【請求項１８】
前記脚スタブが、前記頂部レールを前記脚スタブの一部分に溶接することによって前記頂部レールに付随し、前記一部分は、前記頂部レールの軸方向にほぼ平行に配設されている請求項１７に記載のトランポリン・フレーム。
【請求項１９】
前記隅部材の１個又は複数個がスエージ加工された端部を更に含む請求項１７に記載のトランポリン・フレーム。
【請求項２０】
前記隅部材が、前記隅部材の各端部から約７．６ｃｍ（約３インチ）離れて位置するセットバック孔を更に含む請求項１７に記載のトランポリン・フレーム。
【請求項２１】
前記頂部レール、前記脚スタブ、前記隅部材、及び前記脚部材を含む群から選ばれた少なくとも１つの部材が、壁厚が約５．５９ｍｍ（約０．２２０インチ）で直径が約５．０５ｃｍ（約１．９９０インチ）の、１１ゲージ・パイプ材料を更に含む請求項１７に記載のトランポリン・フレーム。
【請求項２２】
前記頂部レール、前記脚スタブ、前記隅部材、及び前記脚部材を含む群から選ばれた少なくとも１つの部材が、亜鉛フラッシュめっきされた外側及び亜鉛被覆された内側を更に備えたパイプ材料を更に含む請求項１７に記載のトランポリン・フレーム。
【請求項２３】
長方形マットを更に含む請求項１７に記載のトランポリン・フレーム。
【請求項２４】
正方形マットを更に含む請求項１７に記載のトランポリン・フレーム。
【請求項２５】
円形マットを更に含む請求項１７に記載のトランポリン・フレーム。
【請求項２６】
複数の補助材組立体と、複数の脚部材と、複数の隅部材とを有するトランポリン・システムを構成するための方法であって、
前記脚部材の各々の第１端部を第１補助材組立体に結合するステップと、
前記脚部材の各々の第２端部を第２補助材組立体に結合し、これによって各対の隣接補助材組立体を結合し、第２補助材組立体を第１補助材組立体に結合するステップと、
前記隅部材の各々の第１端部を第１補助材組立体に結合するステップと、
前記隅部材の各々の第２端部を第２補助材組立体に結合し、これによって各対の隣接補助材組立体を固定し、第２補助材組立体を第１補助材組立体に固定するステップと、
複数のスプリングの各々の第１端部を前記補助材組立体に取り付けるステップと、
複数のスプリングの各々の第２端部をマットに取り付けるステップと
を含む方法。
【発明の詳細な説明】
【技術分野】
【０００１】
本発明は、概してトランポリンに関し、更に詳細にはトランポリンの跳躍面を支持するための改善されたフレームに関する。
【背景技術】
【０００２】
一般に、トランポリンは円形、長方形、又は正方形の形状を呈する。トランポリンは一般に、マットを取り囲む頂部レールを有するフレームと共に構成されている。マットは一般に、いくつかの引張りコイル・スプリングを使用してフレームの頂部レールに取り付けられている。フレーム、スプリング、及びマットは、脚を頂部レールに取り付けることによって高められて地面から離されている。脚は一般に、地面と接触させるための足端部キャップを有する直線パイプ部片である。チューブ又はパイプは一般に、脚を受け入れるための各位置で頂部レールに溶接されている。脚は、これを溶接されたチューブ又はパイプの中に挿入することによってフレームに取り付けられる。これによって、トランポリンの上で跳び上がるときにトランポリンの撓曲と動きが可能になる。トランポリンの使用によって行使されるこれらの力は、脚を保持しているパイプを保持する溶接継ぎ目の上に集中し、効果的に個別のひずみ点を作り出す。ある場合には、トランポリンの撓曲と動きによって作り出された力は、これらの溶接継ぎ目の１個又は複数個を破壊して外し、脚をトランポリンから離すことになる。このようなトランポリン・フレームの故障は結果的に負傷を生じさせるか、又はトランポリンの欠陥商品回収の原因になることがある。
【発明の開示】
【発明が解決しようとする課題】
【０００３】
本発明は、直線様式で複数の点を通じて脚へのトランポリン力の伝達を配分することによって、個別のひずみ点に起因する設計欠陥を回避する。本発明は、トランポリンの所望の撓曲、動き、及び安定性を維持しながら、フレーム故障の機会を減少させる。
【課題を解決するための手段】
【０００４】
本発明は、概してトランポリンに関し、更に詳細にはトランポリンの跳躍面を支持するための改善されたフレームに関する。
【０００５】
複数の補助材組立体を含むトランポリン・システムであって、前記補助材組立体の各々が第１端部と第２端部とを有する頂部レールを備え、各補助材組立体は、第１端部と第２端部とを有する脚スタブと複数の脚部材とを更に備え、各脚部材は第１端部と第２端部とを有する、トランポリン・システムが提供される。脚部材の各第１端部は第１脚スタブの第１端部に取り付けられ、脚部材の各第２端部は第２脚スタブの第２端部に取り付けられている。頂部レールの各第１端部は第２頂部レールの第２端部に結合されている。
【０００６】
複数の補助材組立体を含むトランポリン・フレームであって、各補助材組立体が第１端部と第２端部とを有する頂部レールと、第１端部と第２端部とを有する脚スタブとを備えた、トランポリン・フレームも又提供される。脚スタブの一部分は頂部レールの軸方向に平行である。脚スタブは、脚スタブに平行な前記一部分に少なくとも部分的に沿って頂部レールに付随している。
【０００７】
更に、複数の補助材組立体と、複数の脚部材と、複数の隅部材とを含むトランポリン・フレームが提供される。補助材組立体は各々、第１端部と第２端部とを有する頂部レールと、第１端部と第２端部とを有する脚スタブとを含む。脚スタブの一部分は、頂部レールの軸方向に平行な脚スタブの一部分に少なくとも部分的に沿って頂部レールに付随している。脚部材は各々、第１端部と第２端部とを有する。脚部材の各第１端部は第１脚スタブの第１端部に取り付けられ、脚部材の各第２端部は第２脚スタブの第２端部に取り付けられている。隅部材は各々第１端部と第２端部とを有する。頂部レールの各第１端部は第１隅部材の第１端部に取り付けられ、頂部レールの各第２端部は第２隅部材の第２端部に取り付けられている。
【０００８】
補助材組立体は、２倍の強度を提供する目的で互いに隣接して共に溶接された頂部レールと脚スタブとを有する。脚スタブは、両端部において曲げられた約９０度の折り曲げ部分を有する。これによって、トランポリンの脚部材を、個別の点で溶接されたスタブに対してではなく、脚スタブの湾曲端部分の中に挿入することができる。次に脚部材は、トランポリンの隅部を横切って次の補助材組立体に結合され、こうして４側部のすべてが互いに結合されるまで続く。４つの脚部材すべてが挿入された後、４つのスエージ加工された隅部材が補助材組立体の頂部レールの中に挿入されて、フレームの周囲を完成する。本発明のトランポリン・フレームは、脚部材と隅部材とを通じて１つの補助材組立体から次の補助材組立体への連続的結合をもたらし、結果としてトランポリンの改善された安定性が得られる。
【０００９】
更に、複数の補助材組立体と、複数の脚部材と、複数の隅部材とを有するトランポリン・システムを構成するための方法であって、各脚部材を第１補助材組立体と第２補助材組立体とに結合し、これによって各対の隣接補助材組立体を結合し、最後の補助材組立体を第１補助材組立体に結合するステップと、各隅部材を第１補助材組立体と第２補助材組立体とに結合し、これによって各対の隣接補助材組立体を固定し、最後の補助材組立体を第１補助材組立体に固定するステップと、複数のスプリングの各々を補助材組立体とマットとに取り付けるステップとを含む方法も提供される。
【実施例】
【００１０】
図１は、本発明のトランポリン・フレームの分解斜視図である。ほぼ長方形のトランポリンについて図示されているように、トランポリンの各側部に１個、全部で４個の補助材組立体１がある。補助材組立体１は一般に水平である。図３に更に詳しく示す補助材組立体１は、頂部レール２と脚スタブ３とを有する。
頂部レール２と脚スタブ３は、１個又は複数個のパイプ、チューブ、溝形材、導管、又はその他の類似のフレーム材料を含む。
【００１１】
現在好ましい実施例では、頂部レール２と脚スタブ３とを含むトランポリン・フレームの構成要素は、壁厚が約５．５９ｍｍ（０．２２０インチ）で直径が約５．０５ｃｍ（１．９９０インチ）の、１１ゲージ・パイプ材料で作られている。腐食を遅らせるために、パイプの外径側を亜鉛フラッシュめっきして、別に内径側を亜鉛被覆してもよい。このようなパイプは、米国６０４２６−６０２１、イリノイ州Ｈａｒｖｅｙ、Ｌａｔｈｒｏｐ  Ａｖｅｎｕｅ  １６１００ＳのＴｙｃｏ  Ｅｌｅｃｔｒｉｃａｌ  ＆  Ｍｅｔａｌ  ＰｒｏｄｕｃｔｓのＡｌｌｉｅｄ  Ｔｕｂｅ  ＆  Ｃｏｎｄｕｉｔ事業部などの、様々な供給源から入手することができる。
【００１２】
頂部レール２は一般的に直線であり、さもなければトランポリンの周囲の一部分の所望の形状に適合する。図示するように、頂部レール２は水平端部を有する１本のパイプとして位置決めされる。脚スタブ３は一般的に直線であるか、さもなければ頂部レール２の中間部分の形状に適合する。脚スタブ３の両端部は、好ましくは約９０度の角度で曲って脚スタブ３の中間部分から離れている。脚スタブ３は一般的に頂部レール２に平行に隣接して位置付けられている。溶接個所４は、頂部レール２を脚スタブ３に、概して頂部レール２と脚スタブ３との中間部分に沿って付随させ、この中間部分では頂部レール２と脚スタブ３は一般的に直線であるか、又は形状的に適合している。溶接個所４は、スポット溶接、シーム溶接、ビード溶接、正規溶接、テンパー・ビード溶接、その他などの様々な溶接法又は付着法のいずれかのものでよい。脚部材５は、中間部分と２つの端部とを有するパイプ、チューブ、溝形材、導管、又はその他の類似のフレーム材料を含み、この脚部材５の各端部は、好ましくは約９０度の角度で曲って脚部材５の中間部分の総体的縦軸方向から離れている。第１脚部材５の一端部は第１脚スタブ３の第１端部の中に確実に嵌合し、第１脚部材５の第２端部は第２脚スタブ３の第１端部の中に確実に嵌合する。
【００１３】
隅部材６は、２つの端部を有するパイプ、チューブ、溝形材、導管、又はその他の類似のフレーム材料を含む。この隅部材６は一般に、２個の隣接する頂部レール２の間に配設されたトランポリンの周囲の一部分の形状に適合している。第１隅部材６の一端部は第１頂部レール２の第１端部の中に確実に嵌合し、第１隅部材６の第２端部は第２頂部レール２の第１端部の中に確実に嵌合する。２個の隣接補助材組立体１は、このように脚部材５と隅部材６を頂部レール２と脚スタブ３のそれぞれの端部に結合することによって、相互に固定される。
【００１４】
別の補助材組立体１も同様な方法で固定されてトランポリン・フレームの構造を完成する。
【００１５】
第２脚部材５の一端部は第２脚スタブ３の第２端部の中に確実に嵌合し、第２脚部材５の第２端部は第３脚スタブ３の第１端部の中に確実に嵌合する。第２隅部材６の一端部は第２頂部レール２の第２端部の中に確実に嵌合し、第２隅部材６の第２端部は第３頂部レール２の第１端部の中に確実に嵌合する。
【００１６】
同様に、第３脚部材５の一端部は第３脚スタブ３の第２端部の中に確実に嵌合し、第３脚部材５の第２端部は第４脚スタブ３の第１端部の中に確実に嵌合する。第３隅部材６の一端部は第３頂部レール２の第２端部の中に確実に嵌合し、第３隅部材６の第２端部は第４頂部レール２の第１端部の中に確実に嵌合する。
【００１７】
この図解を完全なものにすると、第４脚部材５の一端部は第４脚スタブ３の第２端部の中に確実に嵌合し、第４脚部材５の第２端部は第１脚スタブ３の第２端部の中に確実に嵌合する。第４隅部材６の一端部は第４頂部レール２の第２端部の中に確実に嵌合し、第４隅部材６の第２端部は第１頂部レール２の第２端部の中に確実に嵌合する。
【００１８】
様々なトランポリン形状が、様々な全個数の補助材組立体と、対応する脚部材及び隅部材を使用することができる。
【００１９】
図２は、マットとパッディングが設置された組立て済みトランポリン・フレームの斜視図を示す。スプリング８の一端部は補助材組立体１に取り付けられている。一般的に、スプリング８の長さは、トランポリンの所望の使用に応じて約１２．７ｃｍ（約５インチ（５´´））から約２６ｃｍ（約１０＋１／４インチ（１０．２５´´））まで変化する。スプリング８は一般的に、どの端部にも取付けフックを備えた金属製の引張りコイル・スプリングである。通常、スプリング８の一端部にある取付けフックは補助材組立体１における対応する孔の中に嵌合する。スプリング８の対向する端部にある取付けフックは、所望のサイズと形状のトランポリン・マット７の外周部の周りに取り付けられている。マット７を、通常、気密度を減らすための孔隙率、跳ね返り、強度、及び紫外線露光に対する反発弾性などの様々な性能特性のために選ばれた、様々な材料又は織布のいずれかによって構成してもよい。
【００２０】
一般的に、スプリング８の対向する端部における取付けフックは、マット７における対応する孔の中に嵌合している。代替案として、各スプリング８の取付けフックを受け入れるための各クリップがマット７の外周部を取り囲む。マット７の外周縫い目が、一般的に追加的な強度を提供して、スプリング８がマット７の孔を破損し又は裂けてクリップから離れることを防止する。マットに取り付けられた複合クリップを使用し、スプリングはこの複合クリップに取り付けられるなどの、スプリングをトランポリン・マットに結合する変形実施例が存在する。パッド９が、多くのトランポリンについて一般的な安全特性を提供する。パッド９は、補助材組立体１に取り付けられたスプリング８の上に置かれる。一般的にパッド９は、タイ・ストラップを用いて繋ぐことによって、又はその他の技法によって補助材組立体１に取り付けられる。パッド９は一般的に、トランポリン・フレームの露出した水平部分、補助材組立体１、及び隅部６の大部分、又は全ての部分を覆う。
【００２１】
図３は、本発明のトランポリン・フレームの補助材組立体１の前面斜視図を示す。補助材組立体１は頂部レール２と脚スタブ３とを有する。頂部レール２は一般的に直線であり、さもなければトランポリンの周囲の一部分の所望の形状に適合する。図示するように、頂部レール２は水平端部を有する１本のパイプとして位置決めされる。脚スタブ３は一般的に直線であるか、又は頂部レール２の中間部分の形状に適合する。脚スタブ３の両端部は、好ましくは約９０度の角度で曲って脚スタブ３の中間部分から離れている。脚スタブ３は一般的に縦軸に沿って平行に、かつ頂部レール２に隣接して位置付けられている。溶接個所４が頂部レール２を脚スタブ３に、概して頂部レール２と脚スタブ３との中間部分に沿って付随させ、この中間部分では頂部レール２と脚スタブ３は一般的に直線であるか、又は形状的に適合している。
【００２２】
現在好ましい一実施例では、頂部レール２は同じ水平高さで脚スタブ３に付随し、脚スタブ３の両端部は下向きに延び、脚スタブ３はトランポリン・フレームによって囲まれるべき区域の外部に位置している。頂部レール２の両端部は隅部材６の一端部を嵌合可能に受け入れるように形状化されている。脚スタブ３の両端部は脚部材５の一端部を嵌合可能に受け入れるように形状化されている。
【００２３】
この好ましい実施例では、脚スタブ３は単一の連続パイプ部材として図示されている。しかし、当業者には、脚スタブ３が頂部レール２と脚スタブ３との中間部分に沿ってどこかで２つ以上のパイプ部材に分割されてもよく、この中間部分では頂部レール２と脚スタブ３は概して直線であるか、又は形状的に適合していることは、容易に理解されよう。
【００２４】
図４は、本発明のトランポリン・フレームの脚部材５の斜視図である。脚部材５の各端部は、好ましくは約９０度の角度で曲って脚部材５の中間部分の総体的縦軸方向から離れている。脚部材５の両端部は脚スタブ３の一端部を嵌合可能に受け入れるように形状化されている。
【００２５】
図５は、本発明のトランポリン・フレームの隅部材６の平面図である。隅部材６を、２個の隣接する頂部レール２の間におけるトランポリンの周囲の一部分の形状に一般に適合させてもよい。第１隅部材６の一端部は第１頂部レール２の第１端部の中に確実に嵌合し、第１隅部材６の第２端部は第２頂部レール２の第１端部の中に確実に嵌合している。隅部材６は、頂部レール２の隅部材６への嵌合をもっと容易にするためにスエージ加工された端部１６を有してもよい。これに加えて、隅部材６は、頂部レール２の対応する端部の取付け位置から約２．５ｃｍ（約１インチ（１´´））の位置にあるセットバック孔２６を有してもよい。セットバック孔２６はスプリング８を取り付けるために使用され、マット・スプリングの整列を更によくする。
【００２６】
一般的に、本発明によるトランポリンは、第１脚部材５を第１補助材組立体１に結合することによって組み立てられる。次に、第１脚部材５を第２補助材組立体１に結合する。追加の脚部材５を、最後の補助材組立体１が第１補助材組立体１に結合されるまで、補助材組立体１に結合する。隅部材６を、最後の補助材組立体１が第１補助材組立体１に結合されるまで、各対の隣接補助材組立体１に結合して、トランポリン・フレームの組立てを完成する。フレーム内部の中にマット７を緩く広げて置く。次に１個又は複数のスプリング８を、正方形又は長方形のマットの隅部の近くなどの、マット７の外周部の周りに取り付ける。次に複数のスプリング８を、補助材組立体１又は隅部材６の上の対応する位置に取り付ける。これによってマット７はほぼ、ある高さの水平位置に置かれる。必要に応じて追加のスプリング８をマット７と補助材組立体１に結合する。正方形又は長方形のマットについては、１組の対向する端部に対応するスプリングを最初に取り付けてから、次に別の組の対向する端部に対応するスプリングを取り付ける。随意に、スプリングを覆うためにパッド９を取り付けてもよい。
【００２７】
上記の説明は多くの明細内容を含むが、これらは本発明の範囲を限定するものであると解釈してはならず、本発明の現在好ましい実施例の一部を単に例示するものであると解釈されたい。当業者には、本明細書に説明された方法と装置を説明された実施例によって、しかしこれらに限定されることなく実施してもよいことが理解されよう。更に、本発明を例証的な目的で述べた上記の内容に不当に限定してはならないことを理解すべきである。様々な変更及び代替案が、本発明の真の範囲から逸脱することなく、添付の特許請求の範囲に定義されるように当業者には明らかになろう。本発明の特定の実施例を図示説明したが、多くの変更及び改訂が生じることは当業者には理解されよう。更に、添付の特許請求の範囲において、本発明の精神と範囲の内にあるこれらの変更及び改訂を網羅することが意図されている。
【図面の簡単な説明】
【００２８】
【図１】本発明のトランポリン・フレームの分解斜視図である。
【図２】マットとパッディングが設置された本発明のトランポリン・フレームの斜視図である。
【図３】本発明のトランポリン・フレームの補助材の前面斜視図である。
【図４】本発明のトランポリン・フレームの脚の斜視図である。
【図５】本発明のトランポリン・フレームの隅部材の平面図である。
【符号の説明】
【００２９】
１  補助材
２  頂部レール
３  脚スタブ
４  溶接個所
５  脚部材
６  隅部材
７  マット
８  マット・スプリング
９  パッド
１６  スエージ加工された端部
２６  セットバック孔
【図１】
2007152122.tif 000003
【図２】
2007152122.tif 000004
【図３】
2007152122.tif 000005
【図４】
2007152122.tif 000006
【図５】
2007152122.tif 000007
【外国語明細書】
2007152122000001.pdf